(57)【特許請求の範囲】
【請求項１】
回線を介して送られる各種信号を受信する信号受信手段と、その信号受信手段により受信された信号を復調する復調手段とを備えたファクシミリ装置において、
その復調手段を第１の所定時間作動させた後に第２の所定時間停止させる処理を繰り返す制御手段を備え、
前記復調手段により復調された信号がＤＴＭＦ信号である場合に、前記制御手段は、前記第１の所定時間の経過後であっても前記復調手段の作動状態を継続することを特徴とするファクシミリ装置。
【請求項２】
前記復調手段により復調された信号が相手側装置からのファクシミリデータの送信を予告する信号である場合に、その後に回線を介して相手側装置から送信されるファクシミリデータを受信する第１データ受信手段を備えていることを特徴とする請求項１記載のファクシミリ装置。
【請求項３】
前記復調手段により復調された信号がＤＴＭＦ信号である場合に、そのＤＴＭＦ信号を記憶するＤＴＭＦ記憶手段と、
そのＤＴＭＦ記憶手段に記憶されたＤＴＭＦ信号が相手側装置から送信されるファクシミリデータの受信を促すコマンドを構成する場合に、その後に回線を介して相手側装置から送信されるファクシミリデータを受信する第２データ受信手段とを備えていることを特徴とする請求項１又は２に記載のファクシミリ装置。
【発明の詳細な説明】
【０００１】
【発明の属する技術分野】
本発明はファクシミリ装置に関し、特に、モデムで消費される電力を低減しつつ、回線を介して送られる各種信号を復調することができるファクシミリ装置に関するものである。
【０００２】
【従来の技術】
ファクシミリ装置には、必ず、ネットワーク・コントロール・ユニット（以下ＮＣＵと称す）とモデムとが設けられている。ＮＣＵは、交換機から送られる呼出信号や発信者番号（相手側装置の電話番号）を示す信号などの各種信号を受信するためのものであり、モデムは、ＮＣＵにより受信された信号を復調するためのものである。このモデムを作動状態にした場合、そのモデムで消費される電力は約１００ｍＷ（ミリワット）である。待機状態におけるファクシミリ装置全体で消費される電力は約１０００ｍＷであるので、モデムで消費される電力はその約１０％（パーセント）に相当する。このためファクシミリ装置の待機状態では、その消費電力を低減するために、モデムを停止状態にし、そのモデムで消費される電力を約２０ｍＷに制限している。即ち、いわゆるモデムスタンバイ状態にしている。
【０００３】
このモデムスタンバイ状態は、相手側装置からのファクシミリデータの送信があった場合に、交換機から送られる呼出信号をＮＣＵで受信することにより解除される。その解除により作動状態となったモデムによって、呼出信号の後に相手側装置から送られるＣＮＧ信号（Calling Tone）が復調されるので、ファクシミリ装置は、相手側装置からのファクシミリデータが送信されることを認識することができるのである。ここで、ＣＮＧ信号は、かかる相手側装置が非音声端末であることを示す信号であり、且つ、相手側装置からのファクシミリデータの送信を予告する信号である。
【０００４】
【発明が解決しようとする課題】
しかしながら、かかるファクシミリ装置に対して電話装置が並列に接続されているものがある。この場合、相手側装置からのファクシミリデータの送信に伴う着呼（呼出信号の着信）があっても、並列接続された電話装置の使用者により電話回線が閉結されると、ファクシミリ装置は呼出信号を受信することができない。このため、ファクシミリ装置はモデムスタンバイ状態を解除することができず、モデムは停止状態のままとなってしまう。よって、モデムによりＣＮＧ信号を復調することができないので、ファクシミリ装置は相手側装置からのファクシミリデータが送信されることを認識することができず、そのファクシミリデータを受信することができないという問題点があった。
【０００５】
本発明は上述した問題点を解決するためになされたものであり、復調手段を第１の所定時間作動させた後に第２の所定時間停止させる処理を繰り返すことで、消費電力を低減しつつ、回線を介して送られる各種信号を確実に復調することができるファクシミリ装置を提供することを目的としている。
【０００６】
【課題を解決するための手段】
この目的を達成するために請求項１記載のファクシミリ装置は、回線を介して送られる各種信号を受信する信号受信手段と、その信号受信手段により受信された信号を復調する復調手段とを備えており、更に、その復調手段を第１の所定時間作動させた後に第２の所定時間停止させる処理を繰り返す制御手段を備え、前記復調手段により復調された信号がＤＴＭＦ信号である場合に、前記制御手段は、前記第１の所定時間の経過後であっても前記復調手段の作動状態を継続するものである。
【０００７】
この請求項１記載のファクシミリ装置によれば、回線を介して送られる各種信号は信号受信手段により受信され、その受信された信号は復調手段によって復調される。ここで、制御手段によって、その復調手段を第１の所定時間作動させた後に第２の所定時間停止させる処理が繰り返されるが、復調手段により復調された信号がＤＴＭＦ信号である場合には、制御手段は、第１の所定時間の経過後であっても復調手段の作動状態を継続する。
【０００８】
請求項２記載のファクシミリ装置は、請求項１記載のファクシミリ装置において、前記復調手段により復調された信号が相手側装置からのファクシミリデータの送信を予告する信号である場合に、その後に回線を介して相手側装置から送信されるファクシミリデータを受信する第１データ受信手段を備えている。
【０００９】
【００１０】
請求項３記載のファクシミリ装置は、請求項１又は２に記載のファクシミリ装置において、前記復調手段により復調された信号がＤＴＭＦ信号である場合に、そのＤＴＭＦ信号を記憶するＤＴＭＦ記憶手段と、そのＤＴＭＦ記憶手段に記憶されたＤＴＭＦ信号が相手側装置から送信されるファクシミリデータの受信を促すコマンドを構成する場合に、その後に回線を介して相手側装置から送信されるファクシミリデータを受信する第２データ受信手段とを備えている。
【００１１】
【発明の実施の形態】
以下、本発明の好ましい実施例について、図１から図５までの添付図面を参照して説明する。本実施例は、コピー機能やモデム機能、ファクシミリ機能などの多くの機能を１台に備えた多機能周辺装置（ＭＦＤ（Multi Function Device））を用いて説明する。
【００１２】
図１に、電話装置５０が並列に接続されたＭＦＤ１の外観斜視図を示す。ＭＦＤ１の本体２の側部には、受話器３が取り付けられている。受話器３は、非通話時には本体２に設けられた図示しないフック上に置かれ、通話時にはフックから取り上げられて使用される。前者をオンフック状態、後者をオフフック状態と称している。
【００１３】
本体２の上面前部には複数のキー４ａを備えた操作パネル４が設けられ、その操作パネル４の左端部には、上から順にスタンバイキー４ｂと解除キー４ｃとが設けられている。スタンバイキー４ｂは、モデムスタンバイ処理を実行するためのものである。モデムスタンバイ処理とは、モデム２０を１５秒間（ｔ１）停止させた後に、５秒間（ｔ２）作動させる動作を繰り返す処理である（図３参照）。即ち、かかる処理は、１５秒間（ｔ１）モデムスタンバイ状態とした後に、５秒間（ｔ２）モデムスタンバイ状態を解除する（モデムスタンバイ解除状態）動作を繰り返す処理である。また、解除キー４ｃは、そのモデムスタンバイ処理を終了するためのものである。
【００１４】
操作パネル４の左後部には、液晶表示器（ＬＣＤ）５が設けられている。ＭＦＤ１は、この操作パネル４上に設けられた複数のキー４ａが押下されて操作されるとともに、その操作状態や操作手順などがＬＣＤ５へ表示される。
【００１５】
操作パネル４及びＬＣＤ５の後部には原稿挿入口６が設けられている。ファクシミリ動作時に他のファクシミリ装置へ送信される原稿やコピー動作時に複写される原稿は、この原稿挿入口６に原稿面を下向きにして挿入される。原稿挿入口６へ挿入された原稿は、その原稿画像がスキャナ２２（図２参照）により画像データとして読み取られた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され、プリンタ２５（図２参照）によって印刷に使用された記録紙は、原稿排出口７の下方に設けられた記録紙排出口８から排出される。
【００１６】
本体２の一側面には、着呼に伴う呼出音を鳴動するためのスピーカ２８が設けられている。また、本体２の背面には、ＮＣＵ１９（図２参照）に対して電話回線３４が接続されている。その電話回線３４は、略ト字状に構成されたコネクタ３５の端子３５ａへ接続されている。そのコネクタ３５に対して端子３５ａの反対側には、端子３５ｂが設けられている。その端子３５ｂには電話回線３３が接続されており、その電話回線３３は電話装置５０へ接続されている。この電話回線の上面には、後述するＤＴＭＦ信号（Dual Tone Multi Frequency）をＭＦＤ１へ発信するためのテンキー５０ａが設けられている。
【００１７】
一方、そのコネクタ３５の中央部に設けられている端子３５ｃには、電話回線３１が接続されている。このように、ＭＦＤ１と電話装置５０とは並列接続されている。電話回線３１は、ＭＦＤ１側の交換機２９に接続され、この交換機２９は電話回線３１を介して、他の交換機に接続されている。なお、他の交換機は、更に、電話回線を介して相手側装置に接続されている。
【００１８】
図２は、ＭＦＤ１の電気的構成を示したブロック図である。ＭＦＤ１には、ＣＰＵ１１、ＲＯＭ１２、ＥＥＰＲＯＭ１３、ＲＡＭ１４、画像メモリ１５、音声メモリ１６、時計回路３６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４及びアンプ２７が設けられ、これらはバスライン３０を介して互いに接続されている。
【００１９】
ＮＣＵ１９は回線制御を行うためのものであり、ＭＦＤ１はこのＮＣＵ１９を介して電話回線３４に接続されている。ＮＣＵ１９は、交換機２９から送信される呼出信号や相手側装置（発呼側装置、発信者）の電話番号（発信者番号）などの各種信号を受信するとともに、操作パネル４上のキー４ａ操作に応じた発信時のダイヤル信号を交換機２９へ送信したり、更には通話時におけるアナログ音声信号の送受信を行うものである。
【００２０】
ＣＰＵ１１は、ＮＣＵ１９を介して送受信される各種信号に従って、バスライン３０により接続された各部を制御してファクシミリ動作や電話動作、即ち、データ通信を実行するものである。時計回路３６は時刻の計時を行うためのものであり、時計回路３６により計時された時刻はＣＰＵ１１によって読み出され、各処理に使用される。ＲＯＭ１２は、このＭＦＤ１で実行される制御プログラムなどを格納した書換不能なメモリであり、図５のフローチャートに示すプログラムは、このＲＯＭ１２内に格納されている。ＥＥＰＲＯＭ１３は、書換可能な不揮発性のメモリであり、ＥＥＰＲＯＭ１３へ記憶されたデータは、ＭＦＤ１の電源オフ後も保持される。
【００２１】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データ（ファクシミリデータ）は、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。
【００２２】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００２３】
音声ＬＳＩ１７は、ＮＣＵ１９によって受信されたアナログ音声信号をデジタル音声信号に変換する音声認識処理と、ＭＦＤ１の内部で生成されたデジタル音声信号をアナログ音声信号に変換して、ＮＣＵ１９やスピーカ２８（アンプ２７）へ出力する音声合成処理とを行うためのものである。
【００２４】
モデム２０は、画情報及び通信データを変調及び復調して伝送すると共に伝送制御用の各種手順信号を送受信するためのものである。ＣＮＧ信号およびＤＴＭＦ（Dual Tone Multi Frequency）信号は、このモデム２０によって復調される。前記したように、モデム２０は、ＭＦＤ１の使用者によってスタンバイキー４ｂが押下されると、１５秒間（ｔ１）停止した後に、５秒間（ｔ２）作動するモデムスタンバイ処理を繰り返す。
【００２５】
「従来の技術」の欄で説明したように、ＭＦＤ１の待機状態では、その消費電力を低減するために、モデム２０をモデムスタンバイ状態にしている。ここで、相手側装置からのファクシミリデータの送信があると、交換機２９から送られる呼出信号をＮＣＵ１９で受信することによって、ＣＰＵ１１によりモデム２０のモデムスタンバイ状態が解除される。しかし、ＭＦＤ１に対して電話装置５０が並列接続されている場合には、相手側装置からのファクシミリデータの送信に伴う呼出信号の着信によって、かかる電話装置５０の使用者が電話回線を閉結してしまうと、ＮＣＵ１９は呼出信号を受信することができないので、ＣＰＵ１１によりモデム２０のモデムスタンバイ状態を解除することができない。かかる場合、モデム２０はモデムスタンバイ状態のままであるので、呼出信号の後に送信されるＣＮＧ信号や、電話装置５０から送られるＤＴＭＦ信号を復調することができない。
【００２６】
そこで、本実施例では、モデム２０のモデムスタンバイ状態を定期的に解除するモデムスタンバイ処理を用いて、かかる不具合を解消している。図３を参照して、モデムスタンバイ処理の実行中に、相手側装置からのファクシミリデータの送信に伴う呼出信号の着信によってＭＦＤ１と並列に接続されている電話装置５０の使用者が電話回線を閉結してしまい呼出信号を受信することができない場合に、交換機２９から送られるＣＮＧ信号を復調するタイミングについて説明する。図３は、モデムスタンバイ処理の実行中におけるＣＮＧ信号の復調タイミングを示した図である。
【００２７】
図３に示すように、モデムスタンバイ処理の実行中、ＭＦＤ１は、１５秒間（ｔ１）のモデムスタンバイ状態と５秒間（ｔ２）のモデムスタンバイ解除状態とを交互に繰り返す。相手側装置から送られるＣＮＧ信号は、モデム２０で復調しなければＭＦＤ１で認識することができない信号であり、０．５秒間（ｔ３）オンして、３．０秒間（ｔ４）オフする信号である。このＣＮＧ信号は、２０秒〜３０秒の間、相手側装置から送信される。ＣＮＧ信号が送信されている間に、ＭＦＤ１からＣＥＤ（Called Station Identification）信号を送信しないと所定のプロトコルに沿った信号の送受信が行えず送信エラーとなって、ＭＦＤ１は、相手側装置からファクシミリデータを受信することができない。よって、ＭＦＤ１は、ＭＦＤ１と並列接続されている電話装置５０の使用者が電話回線を閉結してしまって呼出信号を受信できなくても、ＣＮＧ信号を認識するために、モデム２０のモデムスタンバイ状態を定期的に解除するのである。
【００２８】
前記したように、ＣＮＧ信号の送信時間は、モデムスタンバイ状態である１５秒間（ｔ１）とモデムスタンバイ解除状態である５秒間（ｔ２）とを加算した２０秒間以上送信され続ける。また、モデムスタンバイ状態を解除している５秒間（ｔ１）は、ＣＮＧ信号がオンしている０．５秒間（ｔ３）とオフしている３．０秒間（ｔ４）とを加算した時間に、１．５秒間のマージンを加えた時間である。よって、例えば、モデムスタンバイ状態となった直後のＨのタイミングに、ＣＮＧ信号が送信されてきても、モデムスタンバイ解除状態であるＩのタイミングで必ず復調することができる。
【００２９】
また、相手側装置からのファクシミリデータの送信に伴う呼出信号の着信によって本ＭＦＤ１と並列に接続されている電話装置５０の使用者が電話回線を閉結してしまい呼出信号を受信することができなくても、並列接続されている電話装置５０の使用者により所定の操作が行われるとＤＴＭＦ信号が電話装置５０からＭＦＤ１へ送信される。モデム２０は２０秒毎に定期的にモデムスタンバイ状態が解除され作動されるので、そのモデム２０の作動中に電話装置５０から送信されるＤＴＭＦ信号を受信すれば、モデム２０によりＤＴＭＦ信号を復調することができる。従って、その復調されたＤＴＭＦ信号がファクシミリデータの受信を促すコマンドを構成する場合には、ファクシミリデータの受信動作を行うことができる。
【００３０】
ここで、図４を参照して、ＤＴＭＦ信号について説明する。ＤＴＭＦ信号は、電話装置５０のテンキー５０ａを押下することによって出力される信号であり、単一の周波数を２つ合成した信号である。図４は、電話装置５０のテンキー５０ａの部分的な拡大平面図を示している。
【００３１】
図４に示すように、電話装置５０のテンキー５０ａには、「０」から「９」までの数字と、「＊」及び「＃」の記号が配設されている。このテンキー５０ａの各行および各列に対してそれぞれ周波数が定められており、各行に対応する周波数を低群、各列に対応する周波数を高群と称している。よって、電話装置５０のテンキー５０ａの内のいずれか１のキーを押下すると、そのキーの行に対応する低群の周波数と列に対応する高群の周波数とを合成した周波数の信号がそのキーのＤＴＭＦ信号になる。
【００３２】
具体的には、テンキー５０ａの「１」、「２」及び「３」の行Ａの周波数は６９７Ｈｚ（ヘルツ）であり、「４」、「５」及び「６」の行Ｂの周波数は７７０Ｈｚであり、「７」、「８」及び「９」の行Ｃの周波数は８５２Ｈｚであり、「＊」、「０」及び「＃」の行Ｄの周波数は９４１Ｈｚである。一方、テンキー５０ａの「１」、「４」、「７」及び「＊」の列Ｅの周波数は１２０９Ｈｚであり、「２」、「５」、「８」及び「０」の列Ｆの周波数は１３３６Ｈｚであり、「３」、「６」、「９」及び「＃」の列Ｇの周波数は１４７７Ｈｚである。
【００３３】
例えば、「３」のキーを押下すると、「３」のキーの行Ａの周波数６９７Ｈｚと列Ｇの周波数１４７７Ｈｚとを合成した周波数の信号が「３」のＤＴＭＦ信号として出力される。
【００３４】
図２に示すバッファ２１は、相手側装置との間で送受信される符号化された画情報を含むデータを一時的に記憶するためのものである。モデム２０によって復調されたＤＴＭＦ信号は、このバッファ２１へ記憶される。バッファ２１へ記憶されたＤＴＭＦ信号がＭＦＤ１を動作させるためのコマンドを構成していれば、ＭＦＤ１において、そのコマンドの内容に応じた処理が実行される。また、バッファ２１に少なくとも一個のＤＴＭＦ信号が記憶されれば、次のＤＴＭＦ信号を受信するために、モデム２０の作動状態（モデムスタンバイ解除状態）が５秒間延長される。よって、例えば、モデム２０の作動状態の終了間際にＤＴＭＦ信号を受信した場合や、コマンドが多くのＤＴＭＦ信号から構成される場合であっても、そのＤＴＭＦ信号で構成されるコマンドをモデム２０により復調して、バッファ２１へ記憶することができる。
【００３５】
スキャナ２２は、原稿挿入口６に挿入された原稿を画像データとして読み取るためのものである。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。
【００３６】
操作パネル４は、操作者がこのＭＦＤ１の設定等を行う場合に各種の操作を行うためのものであり、アンプ２７は、そのアンプ２７に接続されたスピーカ２８を鳴動して、呼出音や音声を出力するためのものである。
【００３７】
次に、図５のフローチャートを参照して、上記のように構成されたＭＦＤ１の動作について説明する。図５は、モデムスタンバイ処理を示したフローチャートである。このモデムスタンバイ処理は、１５秒間（ｔ１）のモデムスタンバイ状態と５秒間（ｔ２）のモデムスタンバイ解除状態とを交互に繰り返して実行する処理であり、ＭＦＤ１の使用者によるスタンバイキー４ｂの押下によって実行される。
【００３８】
図５に示すように、まず、時計回路３６の時間を読み取り、１５秒間（ｔ１）の計時を開始する（Ｓ１）。計時開始後、モデム２０で消費される電力を低減するために、モデム２０を停止してモデムスタンバイ状態にする（Ｓ２）。その後、ＭＦＤ１の使用者によって解除キー４ｃが押下されなければ（Ｓ３：Ｎｏ）、或いは、交換機２９から送られる呼出信号を受信しなければ（Ｓ４：Ｎｏ）、時計回路３６の時間を監視して、Ｓ１の処理で読み取った時計回路３６の時間から１５秒間（ｔ１）が経過するまでの間（Ｓ５：Ｎｏ）、Ｓ３からＳ５までの処理を繰り返す。
【００３９】
一方、Ｓ５の処理において、１５秒間（ｔ１）の計時が終了すれば（Ｓ５：Ｙｅｓ）、モデム２０を作動させてモデムスタンバイ状態を解除する（Ｓ６）。解除後、バッファ２１を「０」クリアして初期化する（Ｓ７）。その後、時計回路３６の時間を読み取り、５秒間（ｔ２）の計時を開始する（Ｓ８）。計時開始後、ＭＦＤ１の使用者により解除キー４ｃが押下されなければ（Ｓ９：Ｎｏ）、又は、呼出信号、ＣＮＧ信号もしくはＤＴＭＦ信号を受信しなければ（Ｓ１０：Ｎｏ，Ｓ１１：Ｎｏ，Ｓ１２：Ｎｏ）、時計回路３６の時間を監視して、Ｓ８の処理で読み取った時計回路３６の時間から５秒間（ｔ２）が経過するまでの間（Ｓ１３：Ｎｏ）、Ｓ９からＳ１３までの処理を繰り返す。
【００４０】
一方、Ｓ１３の処理において、５秒間（ｔ２）の計時が終了すれば（Ｓ１３：Ｙｅｓ）、処理をＳ１へ移行して、再度１５秒間（ｔ１）の計時を開始する（Ｓ１）。また、Ｓ９の処理において、解除キー４ｃが押下されれば（Ｓ９：Ｙｅｓ）、このモデムスタンバイ処理を終了する。
【００４１】
Ｓ１０の処理において、相手側装置から呼出信号を受信すれば（Ｓ１０：Ｙｅｓ）、ＣＮＧ信号を受信したか否かを判断する（Ｓ１４）。「従来の技術」の欄で説明したように、このＣＮＧ信号は、相手側装置が非音声端末であることを示す信号であり、且つ、相手側装置からのファクシミリデータの送信を予告する信号である。よって、Ｓ１４の処理における判断の結果、ＣＮＧ信号を受信しなければ（Ｓ１４：Ｎｏ）、電話処理を実行する（Ｓ１５）。この電話処理では、相手側装置の通話相手（発信者）とＭＦＤ１の使用者とで通話するために、呼出音の鳴動や電話回線の閉結・開放などの処理が実行される。
【００４２】
一方、ＣＮＧ信号を受信すれば（Ｓ１４：Ｙｅｓ）、ファクシミリ受信処理を実行する（Ｓ１６）。このファクシミリ受信処理では、相手側装置から送信されるファクシミリデータを受信するために、そのファクシミリデータをモデム２０で復調して画像メモリ１５へ書き込む等の処理が実行される。なお、ファクシミリ受信処理および電話処理の終了後は、処理をＳ１へ移行して、再度１５秒間（ｔ１）の計時を開始する（Ｓ１）。
【００４３】
Ｓ１１の処理において、ＣＮＧ信号を受信すれば（Ｓ１１）、前記したファクシミリ受信処理を実行する（Ｓ１６）。相手側装置からファクシミリデータが送信される場合には、そのファクシミリデータの送信に伴い呼出信号が着信する。その呼出信号の着信によって本ＭＦＤ１と並列に接続されている電話装置５０の使用者が回線を閉結してしまい、本ＭＦＤ１が呼出信号を受信することができなくても、モデム２０は定期的に作動されるので、そのモデム２０によりＣＮＧ信号を復調することができるのである。よって、そのＣＮＧ信号の後に回線を介して相手側装置から送信されるファクシミリデータを受信することができる。
【００４４】
Ｓ１２の処理において、ＤＴＭＦ信号を受信すれば（Ｓ１２：Ｙｅｓ）、その受信したＤＴＭＦ信号をバッファ２１へ書き込む（Ｓ１７）。そのバッファ２１に記憶されているＤＴＭＦ信号がＭＦＤ１を動作させるためのコマンドを構成しているか否かを判断し（Ｓ１８）、判断の結果、ＤＴＭＦ信号がコマンドを構成していなければ（Ｓ１８：Ｎｏ）、処理をＳ８へ移行して、Ｓ８からＳ１２までの処理を繰り返す。
【００４５】
このように、モデム２０によって復調された信号がＤＴＭＦ信号である場合には、５秒間（ｔ２）が経過した後であってもモデム２０の作動状態が継続されるので、例えば、モデム２０の作動状態の終了間際にＤＴＭＦ信号を受信した場合や、コマンドが多くのＤＴＭＦ信号から構成される場合であっても、そのＤＴＭＦ信号で構成されるコマンドを受信することができるのである。
【００４６】
Ｓ１２の処理においてＤＴＭＦ信号を再度受信することなく（Ｓ１２：Ｎｏ）、Ｓ１３の処理において計時が終了すれば（Ｓ１３：Ｙｅｓ）、電話装置５０の使用者がテンキー５０ａの操作を誤ったものとして、処理をＳ１へ移行して、再度、１５秒間（ｔ１）の計時を開始する（Ｓ１）。
【００４７】
一方、Ｓ１２の処理においてＤＴＭＦ信号を再度受信して（Ｓ１２：Ｙｅｓ）、そのＤＴＭＦ信号をバッファ２１へ書き込んだ場合に（Ｓ１７）、そのバッファ２１に記憶されているＤＴＭＦ信号がＭＦＤ１を動作させるためのコマンドを構成していれば（Ｓ１８：Ｙｅｓ）、そのコマンドに合わせた処理を実行する（Ｓ１９）。例えば、バッファ２１に記憶されているＤＴＭＦ信号がファクシミリデータの受信を促すコマンドを構成する場合には、ファクシミリデータをモデム２０によって復調し画像メモリ１５へ書き込んで印刷するという、ファクシミリデータ受信処理を行うのである。Ｓ１９の処理の実行後は、処理をＳ１へ移行して、再度１５秒間（ｔ１）の計時を開始する（Ｓ１）。
【００４８】
このように、相手側装置からのファクシミリデータの送信に伴う呼出信号の着信によって本ＭＦＤ１と並列に接続されている電話装置５０の使用者が電話回線を閉結してしまい、ＭＦＤ１が呼び出し信号を受信することができなくても、並列接続されている電話装置５０の使用者により所定の操作が行われるとＤＴＭＦ信号が電話装置５０へ送信される。モデム２０は定期的にモデムスタンバイ状態が解除され作動されているので、その電話装置５０から送信されたＤＴＭＦ信号を復調することができる。従って、その復調されたＤＴＭＦ信号がファクシミリデータの受信を促すコマンドを構成する場合には、そのファクシミリデータを受信することができるのである。
【００４９】
Ｓ３の処理において、解除キー４ｃが押下されれば（Ｓ３：Ｙｅｓ）、モデム２０を作動してモデムスタンバイ状態を解除し（Ｓ２０）、このモデムスタンバイ処理を終了する。また、Ｓ４の処理において呼出信号を受信すれば（Ｓ４：Ｙｅｓ）、モデムスタンバイ状態を解除して（Ｓ２１）、ＣＮＧ信号を受信したか否かを判断し（Ｓ１４）、その判断の結果に基づいて、前記した電話処理（Ｓ１５）、或いは、ファクシミリ受信処理を実行する（Ｓ１６）。その後、処理をＳ１へ移行して、再度１５秒間（ｔ１）の計時を開始する。
【００５０】
このモデムスタンバイ処理では、ＭＦＤ１の使用者によってスタンバイキー４ｂが押下されると、１５秒間（ｔ１）のモデムスタンバイ状態（Ｓ１，Ｓ２，Ｓ５）と５秒間（ｔ２）のモデムスタンバイ解除状態（Ｓ６，Ｓ８，Ｓ１３）とが交互に繰り返して実行される。このように、モデム２０を定期的に停止させることにより、モデム２０の消費電力を低減することができる。よって、待機状態におけるＭＦＤ１の消費電力の約１０％にも相当するモデム２０の消費電力を低減することにより、待機状態におけるＭＦＤ１の消費電力を１０％弱低減することができるのである。また、モデム２０を定期的に作動させているので、復調が必要なＣＮＧ信号やＤＴＭＦ信号が送られてきた場合にも、モデム２０によってその信号を復調することができる。従って、モデム２０の消費電力を低減しつつ、電話回線を介して送られる各種信号を復調することができるのである。
【００５１】
なお、請求項１から３に記載の制御手段としては、Ｓ１、Ｓ２、Ｓ５、Ｓ６、Ｓ８およびＳ１３の処理が該当する。請求項２又は３に記載の第１データ受信手段としては、Ｓ１６の処理が該当する。請求項１から３に記載の制御手段としては、Ｓ１８のＮｏの分岐処理とＳ８の処理とが該当する。Ｓ４に記載の第２データ受信手段としては、Ｓ１９の処理が該当する。
【００５２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５３】
例えば、本実施例では、図５に示すモデムスタンバイ処理において、モデムスタンバイ状態の時間を１５秒間（ｔ１）、モデムスタンバイ解除状態の時間を５秒間（ｔ２）とした。しかし、何らこれに限られるものでなく、確実にＣＮＧ信号を復調することができる時間であれば、モデムスタンバイ状態の時間とモデムスタンバイ解除状態の時間とを他の時間としても良いのである。
【００５４】
【発明の効果】
請求項１記載のファクシミリ装置によれば、制御手段によって、復調手段を第１の所定時間作動させた後に第２の所定時間停止させる処理が繰り返される。このように、復調手段を定期的に停止させることにより、復調手段の消費電力を低減することができる。また、復調手段を定期的に作動させているので、復調が必要な信号が送信されてきた場合にも、復調手段によってその信号を復調することができる。従って、復調手段の消費電力を低減しつつ、回線を介して送られる各種信号を復調することができるという効果がある。更に、復調手段により復調された信号がＤＴＭＦ信号である場合には、第１の所定時間の経過後であっても復調手段の作動状態が継続される。よって、復調手段の作動中に少なくとも一個のＤＴＭＦ信号を受信すれば復調手段の作動状態が継続されるので、例えば、復調手段の終了間際にＤＴＭＦ信号を受信した場合や、コマンドが多くのＤＴＭＦ信号から構成される場合であっても、そのＤＴＭＦ信号で構成されるコマンドを受信することができるという効果がある。
【００５５】
請求項２記載のファクシミリ装置によれば、請求項１記載のファクシミリ装置の奏する効果に加え、更に、相手側装置からファクシミリデータが送信される場合には、そのファクシミリデータの送信に伴い呼出信号が着信する。その呼出信号の着信によって本ファクシミリ装置と並列に接続されている外部装置の使用者が回線を閉結してしまい、本ファクシミリ装置が呼出信号を受信することができなくても、復調手段は定期的に作動されるので、その復調手段により相手側装置からのファクシミリデータの送信を予告する信号を復調することができる。よって、その信号の後に回線を介して相手側装置から送信されるファクシミリデータを受信することができるという効果がある。
【００５６】
【００５７】
請求項３記載のファクシミリ装置によれば、請求項１又は２に記載のファクシミリ装置の奏する効果に加え、更に、相手側装置からファクシミリデータが送信される場合には、そのファクシミリデータの送信に伴い呼出信号が着信する。その呼出信号の着信によって本ファクシミリ装置と並列に接続されている外部装置の使用者が回線を閉結してしまい呼出信号を受信することができなくても、並列接続されている外部装置の使用者により所定の操作が行われるとＤＴＭＦ信号が外部装置からファクシミリ装置へ送信される。復調手段は定期的に作動されるので、その作動中に、外部装置から送信されるＤＴＭＦ信号を復調することができる。従って、その復調されたＤＴＭＦ信号がファクシミリデータの受信を促すコマンドを構成する場合には、第２データ受信手段により、ファクシミリデータを受信することができるという効果がある。
【図面の簡単な説明】
【図１】  本発明の一実施例である多機能周辺装置（ＭＦＤ）の斜視図である。
【図２】  上記多機能周辺装置（ＭＦＤ）の電気的構成を示したブロック図である。
【図３】  モデムスタンバイ処理の実行中におけるＣＮＧ信号の復調タイミングを示した図である。
【図４】  電話装置のテンキーの部分的な拡大平面図である。
【図５】  モデムスタンバイ処理を示したフローチャートである。
【符号の説明】
１          多機能周辺装置（ＭＦＤ）（ファクシミリ装置）
１５        画像メモリ（第１データ受信手段および第２データ受信手段の一部）
１９        ネットワーク・コントロール・ユニット（ＮＣＵ）（信号受信手段、第１データ受信手段および第２データ受信手段の一部）
２０        モデム（信号受信手段、第１データ受信手段および第２データ受信手段の一部、復調手段）
２１        バッファ（ＤＴＭＦ記憶手段、信号受信手段の一部）
３１，３２，３３，３４  電話回線（回線）
【図１】
0003716633.tif 000002
【図２】
0003716633.tif 000003
【図３】
0003716633.tif 000004
【図４】
0003716633.tif 000005
【図５】
0003716633.tif 000006